(57)【要約】【課題】曲がり爪にかかる負荷を小さくでき、適切な農作業ができる農作業機を提供する。【解決手段】農作業機１は、圃場を耕耘する耕耘爪２２と曲がり爪２３を設けた耕耘ロータリー２０と土の飛散を規制する側板６１を備えた耕耘カバー６０とを設け、耕耘爪２２の回転径よりも小さい回転径の曲がり爪２３を前記側板６１の近傍に設ける。【選択図】図１
2009082077.tif 000002
【特許請求の範囲】
【請求項１】
圃場を耕耘する耕耘爪と曲がり爪を設けた耕耘ロータリーと前記耕耘ロータリーで耕耘された土の飛散を規制する側板を備えた耕耘カバーとを設けた農作業機において、前記耕耘爪の回転径よりも小さい回転径の曲がり爪を前記側板近傍に設けたことを特徴とする農作業機。
【請求項２】
前記曲がり爪は、先端が側板に対して反対側に向いていることを特徴とする請求項１記載の農作業機。
【発明の詳細な説明】
【技術分野】
【０００１】
本発明は、走行車に連結して走行車の走行にて農作業をする農作業機に関する。
【背景技術】
【０００２】
従来、農作業機おいて、図４のように側板の内側への土の付着を抑えるために耕耘爪と同じ回転径の曲がり爪が側板近傍に配置されている。
【特許文献１】特開平６−７０６０１号公報
【発明の開示】
【発明が解決しようとする課題】
【０００３】
しかしながら、上記従来の農作業機では、曲がり爪は衝撃に弱く、側板に付着した土からの土圧を受け、破損あるいは折れ曲がり、土の付着を抑える効果を十分に発揮できていない。
【０００４】
本発明は、このような点に鑑みなされたもので、曲がり爪にかかる負荷を小さくでき、適切な農作業ができる農作業機を提供することを目的とする。
【課題を解決するための手段】
【０００５】
本発明は、耕耘爪の回転径よりも小さい回転径の曲がり爪を側板の近傍に設けたことを特徴とする。
【発明の効果】
【０００６】
本発明の農作業機は、耕耘爪の回転径よりも小さい回転径の曲がり爪を側板の近傍に設けたことにより、回転径の大きな耕耘爪で側板に付着した外周側の土の壁に亀裂を入れることができ、土を落とし易くしたので、曲がり爪に大きな土圧がかかることがなくなり、曲がり爪による土落とし効果がより多く発揮できる。さらに、曲がり爪にかかる負荷が小さくなり、破損や折れ曲がりがなくなり、安定した農作業を行うことができるとともに、曲がり爪の寿命を延ばすことができる。また、曲がり爪の先端部が側板に対して反対側を向いているので、側板に付着した土を塊状態で落とすことができる。
【発明を実施するための最良の形態】
【０００７】
本発明の農作業機の一実施の形態を図１ないし図３を参照して説明する。
【実施例１】
【０００８】
図１ないし図３において、１は牽引式の農作業機で、この農作業機１は連結部２を備え、トラクタ５０（省略図）に連結部２が連結されてトラクタ５０の走行にて畦に沿って移動しながら畦塗り作業を行うものである。
【０００９】
そして、フレーム3の略中央部には入力軸４が突設し、この入力軸４の先端側は、トラクタ５０のＰＴＯ軸（図示せず）とジョイント（図示せず）を介して連結されている。さらに、入力軸４の基端側はジョイント６の先端側と連結され、ジョイント６の他端側はミッションフレーム８内の軸（図示せず）と連結されている。
【００１０】
また、農作業機１は連結アーム７を備えており、連結アーム７の基端部はフレーム３に回動可能に取り付けられ、他端部はミッションフレーム８に回動可能に取り付けられている。このミッションフレーム８には畦塗り体９が組み付けられており、さらに、畦塗り体９の前方に位置する耕耘ロータリー２０がミッションフレーム８に組み付けられている。
【００１１】
そして、耕耘ロータリー２０の上方には、耕耘部カバー６０が設けられ、進行方向の左側方には側板６１、右側方には上下調節可能な規制カバー６２がそれぞれ設けられている。
【００１２】
そして、ミッションフレーム8内には、トラクタ５０のＰＴＯ軸より伝達された動力により畦塗り体９及び耕耘ロータリー２０を回転させる図示しないギヤ及び軸等が組み込まれている。
【００１３】
さらに、耕耘ロータリー２０は左右方向の回転軸２１を有し、この回転軸２１の外周に間隔をおいた状態で複数列の耕耘爪２２が配設されている。そして、側板６１に最も近い列には、耕耘爪２２の回転径よりも小さい回転径の曲がり爪２３の先端部が側板６１に対して反対側を向いて配設されている。そして、耕耘ロータリー２０は、旧畦の一部及び圃場を耕耘して旧畦上に土を跳ね上げる。
【００１４】
また、畦塗り体９は側面修復体１０と上面修復体１１とで構成されており、作業時にはトラクタの走行速度より速く回転するスリップ回転で、旧畦上に跳ね上げられた土を塗り付け成形していく。
【００１５】
さらに、農作業機１のオフセット量を任意調節できるシリンダー４０がフレーム３とミッションフレーム８に掛け渡されている。
【００１６】
次に、上記農作業機１の畦塗り作業を行う場合について説明する。
【００１７】
農作業機１を適切な高さでトラクタ５０に連結し、トラクタ５０の車輪を旧畦に沿わせながら進行方向Ｘに走行させると、農作業機１が旧畦に沿って移動する。そして、トラクタ５０のＰＴＯ軸からの動力が入力軸４及びジョイント６等を介してミッションフレーム8内の軸及びギヤに伝達され、耕耘ロータリー２０と畦塗り体９が回転する。さらに、農作業機１の移動により、耕耘ロータリー２０で畦塗り用の土が耕耘されて跳ね上げられ、この跳ね上げられた所望の量の土が畦塗り体９で旧畦に塗り付けられて成形され、新畦が形成される。
【００１８】
上記実施の形態によれば、耕耘ロータリー２０の側板６１に最も近い列には、耕耘爪２２の回転径よりも小さい回転径の曲がり爪２３が、その先端部を側板６１に対して反対側を向いて配設されているので、回転径の大きな耕耘爪２２で側板６１に付着した外周側の土の壁に亀裂を入れることができ、土を落とし易くしたので、曲がり爪２３に大きな土圧がかかることがなくなり、曲がり爪２３による土落とし効果がより多く発揮できる。
【００１９】
さらに、曲がり爪２３にかかる負荷が小さくなり、破損や折れ曲がりがなくなり、安定した農作業を行うことができるとともに、曲がり爪２３の寿命を延ばすことができる。また、図３のように曲がり爪２３の先端部が側板６１に対して反対側を向いているので、側板６１に付着した土を塊状態で落としやすくなっている。
【００２０】
また、本実施の形態の農作業機１である畦塗り機に限らず、ロータリー作業機、溝掘機等の側板を備えた全ての機械に同様の効果を得ることができる。
【図面の簡単な説明】
【００２１】
【図１】本発明による農作業機の平面図である。
【図２】本発明の耕耘ロータリーの拡大図である。
【図３】本発明の耕耘ロータリーの一部拡大図である。
【図４】従来の耕耘ロータリーの一部拡大図である。
【符号の説明】
【００２２】
１    農作業機
２    連結部
３    フレーム
４    入力軸
６    ジョイント
７    連結アーム
８    ミッションフレーム
９    畦塗り体
１０  側面修復体
１１  上面修復体
２０  耕耘ロータリー
２１  回転軸
２２  耕耘爪
２３  曲がり爪
４０  シリンダー
５０  トラクタ
６０  耕耘カバー
６１  側板
６２  規制カバー
【図１】
2009082077.tif 000003
【図２】
2009082077.tif 000004
【図３】
2009082077.tif 000005
【図４】
2009082077.tif 000006